(57)【要約】      （修正有）【課題】製造効率を向上させると共に、台紙部分がずれたり、或いは容易に外れたり折れ曲がったりすることなく、さらに、綴じ構造部分を表出させることのない、体裁の良い卓上カレンダーを提供すること。【解決手段】一部を折り返すことで自立しうる台紙１と、台紙１と各枚の上辺同士が揃うように重ねられた複数の中紙２と、重ね合わせた台紙１及び複数の中紙２の各上辺を、最上枚の中紙２の表面から台紙１の裏面にかけてくるんで綴った綴り紙３とを具備する。また、中紙２の各枚と台紙１と綴り紙とが、綴り紙でくるまれた綴り領域内で互いに接着されてなる。【選択図】図１
2008162200.tif 000002
【特許請求の範囲】
【請求項１】
折り返すことで自立しうる台紙１と、台紙１と各枚の上辺同士が揃うように重ねられた複数の中紙２と、重ね合わせた台紙１及び複数の中紙２の各上辺側を、最上枚の中紙２の表面から台紙１の裏面にかけてくるんだ綴り紙３とを具備することを特徴とする卓上カレンダー。
【請求項２】
台紙１と中紙２の各枚と綴り紙３とが、綴り紙３でくるまれた綴り領域内で互いに接着されてなる請求項１記載の卓上カレンダー。
【請求項３】
台紙１及び中紙２の各枚が、上辺側の綴り領域内に略同形状の接着用切欠き部３Ｈを略同位置に有し、重ねられた各接着用切欠き部３Ｈ内に接着剤４が充填されることで、台紙１と中紙２の各枚と綴り紙３とが互いに接着されてなる請求項２記載の卓上カレンダー。
【請求項４】
綴り紙３が、最上枚の中紙２の表面を覆う腹包部分３１から台紙１の裏面を覆う背包部分３３にかけて、横長短冊状の用紙を折り返したものからなり、前記腹包部分３１又は背中包部分３３の少なくともいずれかに、上辺に沿って伸びた型押し筋３４を有する請求項１、２、又は３記載の卓上カレンダー。
【請求項５】
台紙１と複数の印刷済みの中紙２とを共に丁合する丁合工程と、
丁合工程後の台紙１及び中紙２の上辺に沿って配置した横長短冊状の綴り紙３の下辺部分に、丁合した台紙１及び中紙２を載せ、前記短冊状の綴り紙３の上辺部分を最上枚の中紙２の表面に折り返して、台紙１及び複数の中紙２を纏めてくるむことで、丁合した台紙１及び中紙２の上辺側を綴る綴り工程とを順に具備する卓上カレンダーの製造方法。
【請求項６】
台紙１と複数の印刷済みの中紙２とを共に丁合する丁合工程と、
丁合工程後の台紙１及び中紙２の上辺側にある綴り領域内を切欠いて、接着用切欠き部３Ｈを設ける切欠き工程と、
切欠き工程後の台紙１及び中紙２の上辺に沿って配置した横長短冊状の綴り紙３の下辺部分に、丁合した台紙１及び中紙２を載せ、接着用切欠き部３Ｈ内に接着剤４を充填し、前記短冊状の綴り紙３の上辺部分を最上枚の中紙２の表面に折り返して、台紙１及び複数の中紙２を纏めてくるむことで、丁合した台紙１及び中紙２の上辺側を綴る綴り工程とを順に具備する卓上カレンダーの製造方法。
【発明の詳細な説明】
【技術分野】
【０００１】
本発明は卓上等の載置面に載置して用いることが可能な卓上カレンダー及びその製造方法に関する。
【背景技術】
【０００２】
従来の卓上カレンダーとして、カレンダー情報が印字された複数の用紙の上辺を綴って冊子状にし、これを、裏紙となる台紙に最下用紙の背面を張り付けて接着固定したものが存在する。台紙は冊子状の用紙よりも一回り大きな形状であり、一部を折り返すことによって脚部を形成して卓上使用可能とするものである（例えば、特許文献１、２参照）。
【０００３】
また、台紙への固定や冊子状の用紙の綴り構造として、金属性リベットやらせん状の金属リング等の綴り具を貫通固定させるものが存在する（例えば、特許文献２、３参照）。このような綴り具を使用する場合、用紙に貫通孔を設ける必要がある。
【特許文献１】特開２００５−２０８２１０号公報（段落番号００２５、図１等）
【特許文献２】特開２００１−１８０１５１号公報（段落番号０００９ないし００１１、図１、図２等）
【特許文献３】特開２０００−７１６６４号公報（段落番号００１１、図１、図２等）
【発明の開示】
【発明が解決しようとする課題】
【０００４】
しかしながら、上記従来の卓上カレンダーでは、中紙２の綴り工程と台紙への貼り付け工程とを別に行う必要があり、特に台紙への張り付け工程は手作業で行うことがあり、製造効率に優れたものとはいえなかった。
【０００５】
また、綴り工程を終えて冊子状にした中紙２を台紙へ貼り付けると、冊子状の中紙２の重量によって、冊子状の中紙２ごと台紙から外れてしまったり、台紙が折れ曲がったりしてしまう場合があった。
【０００６】
また、上記後者の卓上カレンダーのような鋲等の綴り具によって綴るものは、綴り構造が外部に表出するため体裁が良いとは言えなかった。特に綴り具を取り付ける部分が用紙上に重なり、保形付属具による印刷隠れが発生することで、上端付近までデザイン印刷や文字情報表示を施すことができない。
【０００７】
そこで本発明では、製造工程を簡略化し、また機械的製造も可能とすることで、製造効率を向上させることができると共に、台紙にずれて張り付けられたり、或いは固定後に台紙が容易に外れたり折れ曲がったりすることなく、さらに、綴じ構造部分を表出させることのない、体裁の良い卓上カレンダーを提供することを課題とする。
【課題を解決するための手段】
【０００８】
上記課題を解決するために、下記（１）ないし（６）の手段を採用するものとしている。
【０００９】
（１）本発明の卓上カレンダーは、一部を折り返すことで自立しうる台紙１と、台紙１と各枚の上辺同士が揃うように重ねられた複数の中紙２と、
重ね合わせた台紙１及び複数の中紙２の各上辺を、最上枚の中紙２の表面から台紙１の裏面にかけてくるんで綴った綴り紙３とを具備することを特徴とする。
【００１０】
このようなものであれば、上辺を揃えて重ね合わせた中紙２及び台紙１を綴り紙３で一括りにくるむという、今までにない綴り形態の卓上カレンダーを得られる。
【００１１】
上記綴り形態により、従来のように中紙２の綴りと台紙１への貼り付けとを別に行う必要がないため、製造工程が簡略化でき、また、既存の丁合機や短冊綴じ装置を使用した、安価な機械製造が可能となる。このため、手作業で貼り付け作業を行う場合と比べて、製造効率が飛躍的に向上する。
【００１２】
また綴り紙３の表面側の腹包部分３１から上辺側面側の天包部分３２、および裏面側の背包部分３３までが一体的に形成されるため、上辺付近の納まりによって体裁が良いものとなり、また、高級感を醸し出すことができる。なお綴り紙３に文字等の情報表示や装飾表現（色付け、エンボス加工等）を施すことで、従来では不可能であった箇所への卓上カレンダーの上辺付近でさらに体裁を整えることができる。
【００１３】
（２）また、前記卓上カレンダーにおいて、台紙１と中紙２の各枚と綴り紙３とが、丁合された上辺側にあるて綴り紙３でくるまれた綴り領域内で互いに接着されてなるものであることが好ましい。ここで綴り領域とは、台紙１及び中紙２の各枚において、丁合された上辺側にて綴り紙３でくるまれた領域をいう。
【００１４】
このようなものであれば、鋲をはじめとする中紙２等の綴じ具が不要であり、綴じ具の加工や取り付けのための手間や費用が削減できる。また、綴じ具の取り付け位置と印刷位置のズレなど、綴じ具の使用に基づく不具合が発生する可能性を無くすことができる。また、接着部が綴り紙３によって覆われるため、綴じ構造（接着剤４）部分が外部に表出することがなく、更に体裁の良いものとなる。
【００１５】
（３）また、前記いずれかの卓上カレンダーにおいて、台紙１及び中紙２の各枚が、丁合された上辺側にある綴り領域内の一又は複数箇所に、略同形状の接着用切欠き部４Ｈを各枚間の略同位置に有し、
重ねられた各接着用切欠き部４Ｈ内に接着剤４が充填されることで、台紙１と中紙２の各枚と綴り紙３とが互いに接着されてなることが好ましい。
【００１６】
このようなものであれば、重ねられた各切欠き部の端縁によって、各枚の重合断面が形成され、ここに接着剤４が亘ることで、各枚が重合断面で強固に重合接着される。これにより、強固な接着を容易に行うことができる。この際、図５に示すように接着剤４がやや過量に充填されることによって、隣り合う各枚間、特に最上下枚の中紙２と綴り紙３の間に接着剤４が入り込む。このため、図２に示すような表裏それぞれがやや膨出した状態で固化し、より確実に接着される。また、ホットメルト樹脂からなる接着剤４の充填によって、冷却固化による迅速な接着が可能となる。
【００１７】
（４）また、前記いずれかの卓上カレンダーにおいて、綴り紙３が、最上枚の中紙２の表面を覆う腹包部分３１から台紙１の裏面を覆う背包部分３３にかけて、横長短冊状の用紙を折り返したものからなり、前記腹包部分３１又は背中包部分３３の少なくともいずれかに、上辺に沿って横幅方向へ伸びた型押し筋３４を有することが好ましい。なお後述する実施例では腹包部分３１の下辺近傍に型押し筋３４を有している。
【００１８】
このようなものであれば、型押し筋３４によって幅方向（上辺に沿う方向）の撓みや反り、波うちを抑制することができ、体裁が良いだけでなく、容易に壊れない腰のある綴り構造となる。
【００１９】
（５）また、本発明の卓上カレンダーの製造方法として、
・台紙１と複数の印刷済みの中紙２とを共に丁合する丁合工程と、
・丁合工程後の台紙１及び中紙２の上辺に沿って配置した横長短冊状の綴り紙３の下辺部分（綴り後の背包部分３３に相当する部分）に、丁合した台紙１及び中紙２を載せ、
次に前記短冊状の綴り紙３の上辺部分（綴り後の腹包部分３１に相当する部分）を最上枚の中紙２の表面に折り返して、台紙１及び複数の中紙２を纏めてくるむことで、
丁合した台紙１及び中紙２の上辺側を綴る綴り工程とを順に具備するものとすることができる。
【００２０】
また、前記いずれかの卓上カレンダーにおいて上記工程を具備するものとしても良い。
【００２１】
（６）また本発明の他の卓上カレンダーの製造方法として、
・台紙１と複数の印刷済みの中紙２とを共に丁合する丁合工程と、
・丁合工程後の台紙１及び中紙２の上辺側にある綴り領域内を切欠いて、接着用切欠き部４Ｈを設ける切欠き工程と、
・先ず切欠き工程後の台紙１及び中紙２の上辺に沿って配置した横長短冊状の綴り紙３の下辺部分（綴り後の背包部分３３に相当する部分）に、丁合した台紙１及び中紙２を載せ、
次に、重ねあわされた接着用切欠き部４Ｈで構成される接着用切欠き孔内に接着剤４を注入充填し、
そして前記短冊状の綴り紙３の上辺部分（綴り後の腹包部分３１に相当する部分）を最上枚の中紙２の表面に折り返して、台紙１及び複数の中紙２を纏めてくるむことで、
丁合した台紙１及び中紙２の上辺側を綴る綴り工程とを順に具備するものとすることができる。
【００２２】
上記各製造方法の丁合工程及び綴り工程に基づき、台紙１と複数の中紙２とを混合させて丁合し、さらにこれらを一纏めにして綴ることで、丁合した中紙２を、台紙１となる台紙１に別途固定する必要がなくなる。特に、丁合工程を丁合機によって自動丁合すると、手作業による台紙１張り合わせ作業に比べて生産量が飛躍的に向上する。なお、前記いずれかの卓上カレンダーにおいて上記工程を具備するものとしても良い。
【発明の効果】
【００２３】
本発明は、上述のような構成とすることで、製造工程を簡略化し、また機械的製造も可能とすることで、製造効率を向上させることができると共に、台紙１部分がずれて固定されたり、或いは固定後に容易に外れたり折れ曲がったりすることなく、さらに、綴じ構造部分を表出させることのない、体裁の良い卓上カレンダーを提供することができる。
【発明を実施するための最良の形態】
【００２４】
以下、この発明の構成を、実施例として各図に示す具体例と共に詳細に説明する。図１ないし図５は台紙１の下方延長部を表裏方向へ複数回折り曲げて脚部としうる、本発明の実施例１の卓上カレンダーであり、このうち図４は、実施例１の卓上カレンダーの各製造工程を示す。図６及び図７は台紙１を２枚重ねてなる、本発明の実施例２の卓上カレンダーであり、図８及び図９は、台紙１を切り取って吊り下げ用にすることのできる、本発明の実施例３の卓上カレンダーである。
【００２５】
（本発明の卓上カレンダー）
本発明の卓上カレンダーは、図１に示すように、中紙２及び台紙１の上辺を揃えて重ね合わせ、この上辺側を綴り紙３で一括りにくるんだ上綴りのカレンダーであって、一部を折り返すことで自立しうる台紙１と、台紙１と各枚の上辺同士が揃うように重ねられた複数の中紙２と、重ね合わせた台紙１及び複数の中紙２の各上辺を、最上枚の中紙２の表面から辺側面を亘った台紙１の裏面にかけてくるみ、これによって上辺を綴った綴り紙３とを具備する。また、台紙１と中紙２の各枚と綴り紙３とが、丁合された上辺側にあるて綴り紙３でくるまれた綴り領域内で互いに接着されてなる。以下、各実施例の構成につき詳述する。
【実施例１】
【００２６】
実施例１の卓上カレンダーは、一枚の台紙１が中紙２よりも下方へ延長されており（図３左図）、この延長部が表裏方向へ箱状に折り曲げられ、延長部の下辺が差込み片１２ｂとして台紙１上方の差込み口１２ａに差し込まれることで、脚部１１が構成される（図３右上図）。脚部１１を構成した図３右上図の状態で卓上カレンダーとなる。また綴り部３及び台紙１の延長部下方の幅方向中央には吊り孔７が設けられており、脚部１１を構成せずに台紙１の下方延長部を裏側へ折り畳んだ図３右下図の状態で、天吊りカレンダーとなる。
【００２７】
（台紙１）
台紙１は、中紙２と略同幅であって中紙２よりも厚手の形状保持用紙である。一部を折り返すことで、卓上などの設置面上に自立しうる。実施例１では１枚のみであるが、実施例２のように２枚以上の複数枚から構成されるものとしてもよい。また必要に応じて、折り線５、切り取り線６、及び吊り孔７が形成される。
【００２８】
実施例１では、台紙１の下方が延長され、この延長部の下辺と平行な４本の折り線５が設けられる（図３左図）。また台紙１の延長部よりも上部には部分円弧状の切り込みが設けられ、脚部１１構成時にはこの切り込みを差込み口１２ａとして使用する。
【００２９】
（脚部１１及び差込み構造１２）
台紙１は、自立状態では、差込み構造１２によって脚部１１が形成される。差込み構造１２は、差込口ａ及び差込口１２ａに差し込まれる差込片１２ｂから構成される。
【００３０】
（中紙２）
中紙２は、カレンダー面が印刷された同一形状の複数枚からなる。カレンダー表示順に重ねあわされて丁合された各枚が綴り紙３から下方に連なリ、各枚の下端が開放される。中紙２は台紙１と略同幅であり、台紙１よりも薄手である。台紙１と複数の中紙２とは上辺が揃うように丁合される。
【００３１】
中紙２には、綴り紙３で覆われる綴り領域の下方近傍を幅方向に横断した切り取り線６が設けられている。
【００３２】
（綴り紙３）
綴り紙３は、上端の幅方向に沿う横長かつ細長短冊状の用紙を折り返したものからなる。横長短冊状の用紙は、最上枚の中紙２の表面を覆う腹包部分３１から丁合された用紙群の上辺側面を覆う天包部分３２を亘って、台紙１の裏面を覆う背包部分３３にかけて折り返される。
【００３３】
（腹包部分３１、天包部分３２、背包部分３３）
綴り紙３は、上辺側を綴った綴り状態において、最上枚の中紙２の表面を覆う腹包部分３１、丁合された用紙群の上辺側面を覆う天包部分３２、及び台紙１の裏面を覆う背包部分３３から構成される。これら各部分と中紙２や台紙１に接触した接触部が接着剤４によって接着される。
【００３４】
（型押し筋３４）
前記腹包部分３１又は背中包部分３３の少なくともいずれかには、上辺に沿って横幅方向へ伸びた型押し筋３４を有する。実施例では腹包部分３１の下辺近傍に、表側及び裏側へ一方向ずつ型押しされた型押し筋３４を有している。型押し筋３４によって、幅方向への反りや撓み、或いは波うちの発生を抑止することができ、またデザイン上のポイントとなる。
【００３５】
（綴り領域）
綴り領域とは、台紙１及び中紙２の各枚において、丁合された上辺側にて綴り紙３でくるまれた領域をいう。綴り領域内で表側から裏側へ貫通して接着用切欠き部４Ｈが設けられ、ここに接着剤４が表側から裏側へ充填されるものとしている（図２）。綴り紙３のうち前記腹包部分３１及び背中包部分３３と丁合用紙（最上枚の中紙２、及び台紙１）との間には、接着剤４が過量に充填され、綴り紙３が表裏それぞれにわずかに膨出している。
【００３６】
（接着用切欠き部４Ｈ）
台紙１及び中紙２の各枚が、丁合された上辺側にある綴り領域内の一又は複数箇所に、各枚間略同形状の接着用切欠き部４Ｈを各枚間略同位置に有する。実施例１では図４の上中図の工程において、多数の円形孔が綴り領域内に等間隔に設けられる。
【００３７】
各接着用切欠き部４Ｈが重ねられることで、各接着用切欠き孔構造が形成される。この各接着用切欠き孔構造内に接着剤４が充填されることで、台紙１と中紙２の各枚と綴り紙３とが互いに強固に接着される。すなわち、重ねられた各切欠き部の端縁によって、各枚の重合断面が形成され、ここに接着剤４が亘ることで、各枚が重合断面で強固に重合接着される。これにより、強固な接着を容易に行うことができる。
【００３８】
この際、図５に示すように接着剤４がやや過量に充填されることによって、隣り合う各枚間、特に最上下枚の中紙２と綴り紙３の間に接着剤４が入り込む。このため、図２に示すような表裏それぞれがやや膨出した状態で固化し、より確実に接着される。また、ホットメルト樹脂からなる接着剤４の充填によって、冷却固化による迅速な接着が可能となる。
【００３９】
（卓上カレンダーの製造方法）
本発明の卓上カレンダーは、下記各工程を順に具備する製造方法によって製造される（図４）。
イ）台紙１と複数の印刷済みの中紙２とを共に丁合する丁合工程（図４上左図から上中図）、
ロ）丁合工程後の台紙１及び中紙２の上辺側にある綴り領域内を切欠いて、接着用切欠き部４Ｈを設ける切欠き工程（図４上中図）、並びに、
ハ−１）先ず切欠き工程後の台紙１及び中紙２の上辺に沿って配置した横長短冊状の綴り紙３の下辺部分（綴り後の背包部分３３に相当する部分）に、丁合した台紙１及び中紙２を載せる第一綴り工程（図４上右図）、
ハ−２）次に、重ねあわされた接着用切欠き部４Ｈで構成される接着用切欠き孔内に、接着剤充填器４Ｃによって接着剤４を注入充填する第二綴り工程（図４下右図）、
ハ−３）そして前記短冊状の綴り紙３の上辺部分（綴り後の腹包部分３１に相当する部分）を最上枚の中紙２の表面に折り返して、台紙１及び複数の中紙２を纏めてくるむ第三綴り工程（図４下右図から図４下中図）によって、
丁合した台紙１及び中紙２の上辺側を綴る一連の綴り工程。
【００４０】
上記のうち少なくともイ）丁合工程と、ハ−１）第一綴り工程と、ハ−３）第三綴り工程とを順に具備することで、製造効率に優れた本発明の卓上カレンダーの製造方法が達成される。
【００４１】
ここで、台紙１を吊り下げ用の状態とし、或いは台紙１に脚部１１を形成した状態とすべく、台紙１への折り線５形成工程や切り取り線６形成工程が、イ）丁合工程前後、或いはハ−３）第三綴り工程の後に行われる。これら折り線５形成工程や切り取り線６形成工程によって、差込み構造１２の差込口１２ａや差込片１２ｂが形成される。
【００４２】
折り線５形成工程は折り線５を形成する型押し装置（図示せず）によって行われ、切り取り線６形成工程は例えば図４の上中図に示すようなミシン罫カッター６Ｃによって破線状に裁断されることで行われる。
【００４３】
また、ハ−１）第一綴り工程前に、丁合した中紙２を切り取り可能とするための切り取り線６形成工程が行われる。この中紙２の切り取り線６形成工程は例えば図４の上中図に示されるように、台紙１と中紙２を混合丁合させる丁合工程の後であって、綴じ紙３を丁合後の台紙１３裏面に差し込む第一綴じ工程の前に行われる。このとき、ミシン罫カッター６Ｃは重ね合わせた中紙２の合計厚さに対応した深度で切断し、台紙１までは切断しないようにしても良い。このような切り取り線６形成工程によって、図５に示すように、切り取り線６たるミシン罫が中紙２にのみ形成される。
【００４４】
また必要に応じて、ハ−３）第三綴り工程の後に、綴り後の綴り紙３ｍ並びにその内部の台紙１及び中紙２に、天吊り使用のための吊り孔７を形成する吊り孔７形成工程が行われる（図４下中ないし下左図）。吊り孔７形成工程は、例えば図４の下中図に示されるように、孔開けカッター７Ｃによって行われる。
【実施例２】
【００４５】
実施例２の卓上カレンダーにおいては、第一の台紙１Ａと第二の台紙１Ｂという、重ねられた２枚の台紙１を有する（図６）。この第一及び第二の台紙１Ａ、１Ｂは、実施例１のような１枚の台紙１と比して薄いものである。このように複数の台紙１を中紙２の背側に重ねて丁合することにより、厚手の台紙１と中紙２との厚さの相違幅を微小にすることができ、厚手の台紙１を中紙２とともに機械丁合する際の用紙取り込みのトラブルを抑止しうる。具体的には、台紙１の枚数を増やすことで、台紙１の一枚辺りの厚さを中紙２の２倍以下にすることが好ましい。このような厚さと枚数の調整によって丁合ミスの少ない確実な機械的製造が可能となる。
【００４６】
実施例２の台紙１たる第一の台紙１Ａ及び第二の台紙１Ｂは同一形状である。各台紙１は下方へ微小な延長部を有し、この延長部との境部分を、折り線５が横断する。重なった２枚の台紙１のうち、表側にある第一の台紙１Ａには差込み片１２ｂとなりうる切込み及び折り線５が設けられ、裏側にある第二の台紙１Ｂには差し込み口１ａとなりうる切込みが設けられる。実施例２の差込み構造１２は、図７に示すように、第一の台紙１Ａの差込み片１２ｂを折り曲げて差込み口１２ａ内に差込むことで脚部１１を構成するものである。特記しないその他の構成は、実施例１と同様である。
【実施例３】
【００４７】
実施例３の卓上カレンダーにおいては、台紙１の高さ方向中央付近に切り取り線６を設け、吊り下げて使用するとき等の必要に応じて、この切り取り線６から台紙１の下半部を切り取ることができるものとしている。
【００４８】
また実施例３では台紙１の上部に切り込み及び折り線５を入れることで設けた差込片１２ｂと、台紙１の下辺からなる差込片１２ｂとを組み合わせることで差し込み構造１２を形成してなる。特記しないその他の構成は、実施例１と同様である。
【００４９】
その他、本発明の卓上カレンダー及びその製造方法は、上述した実施例に限定されるものではなく、本発明の趣旨を逸脱しない範囲で種々の変形、代替、及び要素の抽出が可能である。
【産業上の利用可能性】
【００５０】
本発明の卓上カレンダーは、天吊りカレンダーとしての使用を可能とした兼用タイプとして使用するほか、任意の形状に切り抜いた、いわゆるカタヌキ卓上カレンダーやメモ帳として常設使用することができる。
【図面の簡単な説明】
【００５１】
【図１】本発明の実施例１の卓上カレンダーを示す斜視説明図である。
【図２】図１に示す実施例１の卓上カレンダーのＡ−Ａ断面のうち、上部の綴リ部分のみを示す側面視部分拡大断面図である。
【図３】実施例１の卓上カレンダーを卓上用あるいは吊り下げ用として使用するときの状態を説明する説明図である。
【図４】実施例１の卓上カレンダーの製造方法の各製造工程を示す説明図である。
【図５】図４に示すＢ−Ｂ断面のうち、接着剤４充填直後の状態にある丁合用紙の部分のみを示す側面視部分拡大断面図である。
【図６】実施例２の卓上カレンダーの斜視外観図である。
【図７】実施例２の卓上カレンダーを卓上用として使用するときの状態を説明する説明図である。
【図８】実施例３の卓上カレンダーの斜視外観図である。
【図９】実施例３の卓上カレンダーを卓上用あるいは吊り下げ用として使用するときの状態を説明する説明図である。
【符号の説明】
【００５２】
１  台紙
１１  脚部
１２  差込み構造
１２ａ  差込み口
１２ｂ  差込み片
１Ａ  第一の台紙
１Ｂ  第二の台紙
２  中紙
３  綴り紙
３１  腹包部分
３２  天包部分
３３  背包部分
３４  型押し筋
４  接着剤
４Ｃ  接着剤充填器
４Ｈ  接着用切欠き部
５  折り線
６  切り取り線
６Ｃ  ミシン罫カッター
７  吊り孔
７Ｃ  孔開けカッター
【図１】
2008162200.tif 000003
【図２】
2008162200.tif 000004
【図３】
2008162200.tif 000005
【図４】
2008162200.tif 000006
【図５】
2008162200.tif 000007
【図６】
2008162200.tif 000008
【図７】
2008162200.tif 000009
【図８】
2008162200.tif 000010
【図９】
2008162200.tif 000011